(57)【要約】  【課題】  記録・再生切り替え時における光ビームパワーの過渡偏差を低減できる光ディスク記録再生装置を提供する。  【解決手段】  光ディスク１に対する最初の記録動作を実行する前に、記録・再生切り替え時におけるレーザー２ｂの出射パワーの過渡偏差と相関のあるＡＰＣ回路（ＲＦ処理回路５の一部とレーザドライバ１２の一部とによって構成される）の特性値を検出し、その検出結果に応じて記録・再生切り替え時におけるレーザー２ｂの出射パワーの過渡偏差と相関のあるＡＰＣ回路の特性値を調整する較正処理を行う光ディスク記録再生装置。【選択図】      図１
2006331490.tif 000002
【特許請求の範囲】
【請求項１】
光源と、前記光源から出射される出射光を電気信号に変換する光電変換手段と、前記光源を制御する光源制御手段と、前記光源制御手段の制御により決定される前記出射光のパワーを前記光電変換手段の出力に基づいて目標値に保持するパワー保持手段とを備え、
光ディスクに対する最初の記録動作を実行する前に、記録・再生切り替え時における前記出射光のパワーの過渡偏差と相関のある前記パワー保持手段の特性値を検出し、その検出結果に応じて記録・再生切り替え時における前記出射光のパワーの過渡偏差と相関のある前記パワー保持手段の特性値を調整する較正処理を行うことを特徴とする光ディスク記録再生装置。
【請求項２】
前記パワー保持手段が、前記出射光のパワーと前記目標値との誤差を検出する誤差検出部と、前記誤差検出部の出力を増幅する増幅部とを備え、
前記較正処理において、前記増幅部のゲインを変更することで記録・再生切り替え時における前記出射光のパワーの過渡偏差と相関のある前記パワー保持手段の特性値が調整される請求項１に記載の光ディスク記録再生装置。
【請求項３】
前記パワー保持手段が、前記出射光のパワーと前記目標値との誤差を検出する誤差検出部と、前記誤差検出部の出力を増幅する増幅部とを備え、
前記較正処理において、前記誤差検出部の出力を取得することによって、記録・再生切り替え時における前記出射光のパワーの過渡偏差と相関のある前記パワー保持手段の特性値を検出する請求項１または請求項２に記載の光ディスク記録再生装置。
【請求項４】
前記較正処理の終了条件が、再生切り替え時における前記出射光のパワーの過渡偏差と正相関のある前記パワー保持手段の特性値が所定値以下となった場合とする請求項１〜３のいずれかに記載の光ディスク記録再生装置。
【請求項５】
前記較正処理の実行中において、前記パワー保持手段が、前記目標値の一つである記録用目標値を、前記光ディスクから読み出されたディスク情報に沿って生成する請求項１〜４のいずれかに記載の光ディスク記録再生装置。
【請求項６】
前記較正処理の実行中において、前記光源制御手段がランダムデータを入力し、前記光源制御手段の制御により前記光源が前記ランダムデータに対応した光を出射する請求項１〜５のいずれかに記載の光ディスク記録再生装置。
【請求項７】
ディスクサーボ動作を停止した後に前記較正処理を実行する請求項１〜６のいずれかに記載の光ディスク記録再生装置。
【請求項８】
前記ディスクサーボ動作を停止する場合には、前記光源から出射される出射光が前記光ディスクの記録層から焦点がずれる位置へ前記光源を移動させる請求項１〜７のいずれかに記載の光ディスク記録再生装置。
【請求項９】
前記光ディスクに対する最初の記録動作が、前記光ディスクと光ディスク記録再生装置間の最適出射光条件を決定するために行われる試し書きである請求項１〜８のいずれかに記載の光ディスク記録再生装置。
【発明の詳細な説明】
【技術分野】
【０００１】
本発明は、光ディスクに対して情報の記録再生を行う光ディスク記録再生装置に関する。なお、光ディスクとは情報の読み書きに光ビームを利用する記憶媒体のことをいい、光磁気ディスク等も光ディスクに含まれる。
【背景技術】
【０００２】
ディスクの記録層を結晶とアモルファスとに可逆的に変化させて情報を記録する相変化型光ディスク（例えば、ＤＶＤやBlu-ray Disc）に対して情報の記録再生を行う光ディスク記録再生装置が実用化されている。上記光ディスク記録再生装置が情報を光ディスクに記録する場合には、情報を再生する場合と比較してレーザービームのパワーを数倍〜数百倍にして光ディスクの記録層にレーザービームの焦点を当てる必要がある（光磁気ディスクの場合は特許文献１を参照）。これは、上記光ディスク記録再生装置が光ディスクの記録層を融点以上に加熱することによって、結晶部またはアモルファス部を生成することで情報の記録を行うためである。ディスク内に記録層を複数有する多層光ディスクの場合、一般的にはディスク表面からの距離が遠くなるに従って必要となるレーザービームのパワーは大きくなる。
【０００３】
そして、上記光ディスク記録再生装置においては、記録時および再生時のレーザー出射パワーをそれぞれ所定値のパワーに保つために自動パワー制御（以下、ＡＰＣとする）が行われている。ＡＰＣを行うＡＰＣ回路の概略構成図を図５に示す。出力電流生成回路５３によって生成されたレーザー電流によって発光するレーザー５４からの出射光は、フォトダイオード５５に入力し、フォトダイオード５５によって電気信号に変換される。比較器５１は、フォトダイオード５５から出力される電気信号と、メモリ５２にあらかじめ記憶された目標パワーとの差に応じた誤差信号を生成する。出力電流生成回路５３は、比較器５１から出力される誤差信号に応じてレーザー電流値を制御する。これにより、レーザー５４の出射パワーが目標パワーと一致するように制御される。
【特許文献１】特開平１０−４９９１０号公報（第０００９段落）
【発明の開示】
【発明が解決しようとする課題】
【０００４】
記録時と再生時でレーザー出射パワーの差が大きくなると、切り替え時のレーザーパワー変動を瞬時に安定して切り替えることが重要となってくる。特に、出力電流生成回路５３のゲイン調整、メモリ５２から読み出す目標パワーの切り替えタイミング、出力電流生成回路５３のゲイン切り替えタイミング、フォトダイオード５５を含めたＡＰＣループの応答特性調整等の精度が低いと、記録品質が低下して正常に再生できない状態を生む可能性がある。さらに、レーザー出射パワーが大きい場合には、レーザー自身が発熱することによって図６のようにレーザー出射パワー対レーザー電流特性（以下、Ｉ−Ｐ特性とする）が特性線Ｔ１から特性線Ｔ２にシフトするため、これらも考慮する必要がある。
【０００５】
光ディスクに情報が記録される際のレーザー出射パワーは光ディスクによって異なる。これは光ディスク自身にあらかじめ記録されているパワー情報と、光ディスク記録再生装置−光ディスク間のレーザー出射パワー最適条件を求めるための試し書きとによって決定される。この試し書きは、光ディスク記録再生装置の各種調整後の残留誤差や、ディスク記録層の感度等によって発生する誤差を最終的に補償する目的で行われる。
【０００６】
上記ＡＰＣがこれら複数の要因に対応できるようにＡＰＣループの諸特性を予め調整した後に実際の記録動作を開始するのであるが、この調整が最適でない場合は例えば図７Ａ〜図７Ｃのようにレーザー出射パワーは記録・再生切り替え時に過渡偏差ΔＰを生じた後、ＡＰＣによって目標パワーへ遷移する。図７Ａの場合は記録時のレーザー出射パワーが正常に出力されないため記録信号品質異常を引き起こす可能性がある。また、図７Ｂの場合は再生時のレーザー出射パワーが必要以上に高くなるため記録済み情報の品質異常を引き起こす可能性がある。また、図７Ｃの場合はディスクフォーカスサーボダウンとなる可能性がある。記録信号の品質異常や記録済み情報の品質異常はディスク上の情報を失ってしまう場合があり、またフォーカスダウンの場合はサーボ起動を最初からやり直す場合がある。ディスク上の情報を失うことは大きな問題であり、また、フォーカスダウンの場合はリトライ処理を生み、多大な電力損失と再生動作の長期化となり、高転送レートに対応できなくなる。
【０００７】
本発明は、上記問題に鑑み、記録・再生切り替え時における光ビームパワーの過渡偏差を低減できる光ディスク記録再生装置を提供することを目的とする。
【課題を解決するための手段】
【０００８】
上記目的を達成するために本発明に係る光ディスク記録再生装置は、光源と、前記光源から出射される出射光を電気信号に変換する光電変換手段と、前記光源を制御する光源制御手段と、前記光源制御手段の制御により決定される前記出射光のパワーを前記光電変換手段の出力に基づいて目標値に保持するパワー保持手段とを備え、光ディスクに対する最初の記録動作を実行する前に、記録・再生切り替え時における前記出射光のパワーの過渡偏差と相関のある前記パワー保持手段の特性値を検出し、その検出結果に応じて記録・再生切り替え時における前記出射光のパワーの過渡偏差と相関のある前記パワー保持手段の特性値を調整する較正処理を行うようにしている。
【０００９】
上記較正処理が行われることにより、記録・再生切り替え時における出射光のパワーの過渡偏差を低減できるので、ディスクに関わらず安定した記録再生動作を行うことが可能となる。
【００１０】
また、上記構成の光ディスク記録再生装置において、前記パワー保持手段が、前記出射光のパワーと前記目標値との誤差を検出する誤差検出部と、前記誤差検出部の出力を増幅する増幅部とを備え、前記較正処理において、前記増幅部のゲインを変更することで記録・再生切り替え時における前記出射光のパワーの過渡偏差と相関のある前記パワー保持手段の特性値が調整されるようにしてもよい。
【００１１】
また、上記各構成の光ディスク記録再生装置において、前記パワー保持手段が、前記出射光のパワーと前記目標値との誤差を検出する誤差検出部と、前記誤差検出部の出力を増幅する増幅部とを備え、前記較正処理において、前記誤差検出部の出力を取得することによって、記録・再生切り替え時における前記出射光のパワーの過渡偏差と相関のある前記パワー保持手段の特性値を検出するようにしてもよい。
【００１２】
また、上記各構成の光ディスク記録再生装置において、前記較正処理の終了条件が、再生切り替え時における前記出射光のパワーの過渡偏差と正相関のある前記パワー保持手段の特性値が所定値以下となった場合とするようにしてもよい。これにより、記録・再生切り替え時における前記出射光のパワーの過渡偏差を所定のレベル以下にすることができる。
【００１３】
また、上記各構成の光ディスク記録再生装置において、前記較正処理の実行中に、前記パワー保持手段が、前記目標値の一つである記録用目標値を、前記光ディスクから読み出されたディスク情報に沿って生成するようにしてもよい。
【００１４】
また、上記各構成の光ディスク記録再生装置において、前記較正処理の実行中に、前記光源制御手段がランダムデータを入力し、前記光源制御手段の制御により前記光源が前記ランダムデータに対応した光を出射するようにしてもよい。
【００１５】
また、上記各構成の光ディスク記録再生装置において、ディスクサーボ動作を停止した後に前記較正処理を実行するようにしてもよい。さらに、前記ディスクサーボ動作を停止する場合には、前記光源から出射される出射光が前記光ディスクの記録層から焦点がずれる位置へ前記光源を移動させるようにしてもよい。
【００１６】
また、上記各構成の光ディスク記録再生装置において、前記光ディスクに対する最初の記録動作が、前記光ディスクと光ディスク記録再生装置間の最適出射光条件を決定するために行われる試し書きであるようにしてもよい。
【発明の効果】
【００１７】
本発明によると、記録・再生切り替え時における光ビームパワーの過渡偏差を低減できるので、ディスクに関わらず安定した記録再生動作を行うことが可能となる。
【発明を実施するための最良の形態】
【００１８】
＜光ディスク記録再生装置の構成＞
まず、本発明に係る光ディスク記録再生装置について図１を参照して説明する。図１は、本発明に係る光ディスク記録再生装置の構成例を概略的に示すブロック図である。
【００１９】
図１に示す光ディスク記録再生装置は、光ピックアップ２と、スピンドルモータ３と、スレッドモータ４と、ＲＦ処理回路５と、制御回路９と、インタフェース１０と、モータドライバ１１と、レーザドライバ１２とを備えており、光ディスク１に対して情報の記録再生を行う。そして、制御回路９は、信号処理回路６と、デジタルサーボ処理回路７と、制御用マイクロコンピュータ（以下、制御用マイコンという）８とを有している。
【００２０】
光ピックアップ２は、対物レンズ２ａと、レーザー２ｂと、光検出器２ｃと、ＡＰＣ用フォトダイオード２ｄと、中間伝達部（不図示）を含むアクチュエータ（不図示）とを有する。
【００２１】
レーザー２ｂから出力された光は対物レンズ２ａで集光され光ディスク１上へビームとして照射される。光ディスク１からの反射光は、対物レンズ２ａを通して入力され、光検出器２ｃにおいて電流信号に変換されてＲＦ信号処理回路５に出力される。
【００２２】
光検出器２ｃは記録・再生によって電流信号変換時のゲインを変更するための制御部（不図示）を有しており、その制御部が信号処理回路６からの制御信号に対応して記録・再生の切り替えと同時に電流信号変換時のゲインを切り替える。
【００２３】
ＡＰＣ用フォトダイオード２ｄは、レーザー２ｂの出射光を直接受光して電流信号に変換し、その電流信号を後述するＡＰＣ回路の入力信号としてＲＦ処理回路５へ出力する。
【００２４】
ビームエキスパンダ２ｅは、デジタルサーボ処理回路７と制御用マイコン８とによって制御され、対物レンズ２ａの中心部を通して光ディスク１に照射される光と対物レンズ２ａの周辺部を通して光ディスク１に照射される光とが同じ位置に集光されるように駆動して光ディスク１の表面をカバーする保護膜の影響による収差を補正する。
【００２５】
光ピックアップ２は、スレッドモータ４の回転駆動を直線駆動に変換する中間伝達部（不図示）によって光ディスク１の径方向への移動を行う。そして、スレッドモータ４はモータドライバ１１からのスレッドモータ駆動信号によって駆動される。
【００２６】
スレッドモータ４のロータにはＮ極とＳ極とが交互に磁化されたリング状のマグネットが設けられ、スレッドモータ４のステータにはホール素子（不図示）が設けられており、そのホール素子の出力がＤＳＰ（Digital Signal Processor）で構成されたデジタルサーボ処理回路７に送出される。デジタルサーボ処理回路７は、前記ホール素子の出力と後述するＲＦ処理回路５からの信号とに基づいて、各制御系を動作させるための制御信号を生成する。この制御信号がモータドライバ１１に送出されてスレッドモータ４の駆動信号が生成される。
【００２７】
光ピックアップ２内の光検出器２ｃが光を検出した際に光検出器２ｃから出力される電流信号は、ＲＦ処理回路５によって電圧信号に変換される。光検出器２ｃからＲＦ処理回路５に出力される電流信号のうち、データを有するＲＦ信号に対応する光検出信号は、位相が正反対の２つの信号からなる。よって、この光検出信号が光検出器２ｃからＲＦ処理回路５に送出されると、ＲＦ処理回路５はこの２つの信号を差動増幅した後、ＡＧＣ（Automatic Gain Control）処理を施して信号処理回路６に送出する。
【００２８】
信号処理回路６は、ＲＦ処理回路５から出力されたＲＦ信号を、ＮＲＺＩ（Non-Return-to-Zero Invert）変換、ビタビ復号、デインターリーブ、エラー訂正などの処理を経て復号化し、インタフェース１０より外部へと出力する。このようにして、光ディスク１に記録されている情報の再生が行われる。
【００２９】
一方記録時には、インタフェース１０を経て外部より入力された記録情報は、信号処理回路６においてパリティコード付加、インターリーブ、データ変調、ＮＲＺＩ変換等の処理を経て光ディスク１への記録データとなる。この記録データは、光ディスク１への記録タイミングを取りながら、レーザドライバ１２へ出力される。
【００３０】
記録データを受け取ったレーザドライバ１２は、記録データに応じたレーザー出射パワーに対応するパルス状のレーザー電流をレーザー２ｂに出力する。このレーザー電流を受けたレーザー２ｂが発光し、その光が対物レンズ２ａを通して光ディスク１の記録層へと集光されることによってデータの記録が行われる。
【００３１】
デジタルサーボ処理回路７は、ＲＦ信号から得た同期信号に対して、基本周波数信号となるマスタークロックに基づいてＰＬＬ（Phase Locked Loop）処理を施す。このようにＰＬＬ処理された同期信号がモータドライバ１１を介してスピンドルモータ３を回転制御する。
【００３２】
スピンドルモータ３は、光ディスク１をその周方向に動作させるためのモータで、光ディスク１を記録・再生するためのいわゆるトラッキング動作を行う際に、上記のようなＰＬＬ制御が施される。なお、光ディスク１の回転起動時やトラックのロングサーチを行うときは、スピンドルモータ３自身の回転に関する信号と本来あるべき回転速度と比較することで出力されるエラー信号に基づいて回転制御を行うＦＧ（Frequency Generator）サーボによって制御される。このように与えられたＦＧ信号より、スピンドルモータ３の回転速度を検出し、光ピックアップ２の位置するゾーンのあるべき回転速度に制御することで、サーチ後のデータ読み出しを効率よく行う。
【００３３】
また、デジタルサーボ処理回路７は、光ディスク１に刻まれた案内溝（ウォブル）の再生信号をＲＦ処理回路５から受け取ってディスクアドレスを復調し、制御用マイコン８へ通知する。これにより記録再生の場所の管理が行われる。さらに、このウォブルの再生信号から光ディスク１の回転数のＰＬＬ制御を行うことで、信号処理回路６から出力されるデータ記録のタイミングを合わせている。
【００３４】
一方、光ピックアップ２で光検出されたトラッキングエラー信号やフォーカスエラー信号といったサーボエラー信号は、ＲＦ処理回路５で処理された後、デジタルサーボ処理回路７内のＡ／Ｄコンバータ（不図示）へ入力されデジタル信号に変換される。その変換されたデジタル信号はデジタルサーボ処理回路７で処理された後、モータドライバ１１を介してスレッドモータ４や光ピックアップ２内のアクチュエータ（不図示）を駆動して、フォーカス制御やトラッキング制御がなされる。
【００３５】
トラッキング制御を行うためのトラッキングサーボは、光ピックアップ２→ＲＦ処理回路５→デジタルサーボ処理回路７→モータドライバ１１→光ピックアップ２またはスレッドモータ４というメインループと、スレッドモータ４内のホール素子（不図示）→デジタルサーボ処理回路７→モータドライバ１１→光ピックアップ２またはスレッドモータ４というサブループとから構成される。
【００３６】
＜ＡＰＣ回路の構成＞
次に、ＲＦ処理回路５の一部とレーザドライバ１２の一部とによって構成されるＡＰＣ回路について図２を参照して説明する。図２は、ＡＰＣ回路の構成例を概略的に示す図である。
【００３７】
図２に示すＡＰＣ回路３１は、Ｉ−Ｖ変換回路２０と、Ａ／Ｄコンバータ２１と、減算器２２と、メモリ２３と、デコーダ２４と、積分器２５と、乗算器２６と、リード用Ｄ／Ａコンバータ２７と、ライト用Ｄ／Ａコンバータ２８と、ＷＳＧ回路２９と、ＮＰＮトランジスタ３０とを備えており、ＡＰＣ用フォトダイオード２ｄから出力される電流信号に基づいてレーザー２ｂのレーザー出射パワーを所定のパワーに保持するようにレーザー２ｂを制御する。なお、Ｉ−Ｖ変換回路２０、Ａ／Ｄコンバータ２１、減算器２２、メモリ２３、デコーダ２４、積分器２５、リード用Ｄ／Ａコンバータ２７、及びライト用Ｄ／Ａコンバータ２８はＲＦ処理回路５内に設けられ、乗算器２６、ＷＳＧ回路２９、及びＮＰＮトランジスタ３０はレーザドライバ１２内に設けられる。
【００３８】
レーザー２ｂより出射された光は、ＡＰＣ用フォトダイオード２ｄで受光され電流信号に変換される。ＡＰＣ用フォトダイオード２ｄから出力される電流信号はＩ−Ｖ変換回路２０で電圧信号に変換され、その後Ａ／Ｄコンバータ２１でデジタル信号に変換され減算器２２へ送出される。
【００３９】
一方、信号処理回路６からＡＰＣ回路３１内のデコーダ２４にクロック信号ＣＬＫが出力され、さらに記録時にはクロック信号ＣＬＫに加えて１−７変調されたＮＲＺＩデータＤＡＴＡが出力される。
【００４０】
記録時にはデコーダ２４は、１−７変調されたＮＲＺＩデータＤＡＴＡに基づいて記録すべきマーク長を検出する。メモリ２３は、マーク長毎の目標パワーを記憶しており、記録時にはデコーダ２４の指示に従って記録すべきマーク長に応じた目標パワーに対応するデジタル値を減算器２２へ出力する。また、メモリ２３は、再生時にはデコーダ２４の指示により再生用の目標パワーに対応するデジタル値を減算器２２へ出力する。なお、メモリ２３の記憶内容は、制御用マイコン８によって予め設定される。
【００４１】
ＷＳＧ回路２９は、記録時にはデコーダ２４の指示に従って記録すべきマーク長に応じたストラテジを出力する。したがって、ＷＳＧ回路２９から出力されるストラテジは例えば図３に示すように信号処理回路６から出力されるＮＲＺＩデータＤＡＴＡに対応したパルス状の電流信号となる。また、ＷＳＧ回路２９は、再生時にはデコーダ２４の指示により高周波重畳出力を行う。
【００４２】
ＮＰＮトランジスタ３０はＷＳＧ回路２９から出力される電流信号を増幅してレーザー電流とし、そのレーザー電流をレーザー２ｂに出力する。したがって、減算器２２は、メモリ２３から出力される目標パワーのデジタル値から、ＮＰＮトランジスタ３０からレーザー２ｂに出力されるレーザー電流によって定まるレーザー出射パワーに対応するデジタル電圧値を引いて誤差信号を得ることになる。
【００４３】
減算器２２から出力される誤差信号は、積分器２５で平滑化された後、乗算器２６へ送出される。乗算器２６では、積分器２５から出力される信号（エラーデータ）が再生時にはリード用Ｄ／Ａコンバータ２７の出力と記録時にはライト用Ｄ／Ａコンバータ２８の出力と乗算され、すなわち積分器２５から出力される信号がゲイン倍されてＷＳＧ回路２９へ出力される。そして、ＷＳＧ回路２９から出力されるストラテジの振幅は、乗算器２６の出力信号に応じたものとなる。
【００４４】
ここで、リード用Ｄ／Ａコンバータ２７、ライト用Ｄ／Ａコンバータ２８はともに制御用マイコン８によって予め設定される。
【００４５】
以上の動作によりＡＰＣが行われている。つまり、レーザー２ｄの出射パワーが目標パワーよりも小さくなると、減算器２２の出力が正となってレーザー電流が増加する。逆にレーザー２ｄの出射パワーが目標パワーよりも大きい場合は、減算器２２の出力が負となってレーザー電流が減少する。よって結果としてレーザー２ｄの出射パワーが目標パワーに一致するように自動制御されるループが形成されることになる。
【００４６】
＜較正処理の詳細＞
次に、図１に示す光ディスク記録再生装置が行う較正処理について図４のフローチャートを参照して説明する。
【００４７】
図１に示す光ディスク記録再生装置に光ディスク１が挿入されると、図１に示す光ディスク記録再生装置はまず再生パワーでレーザーを照射して（ステップ＃１０）、光ディスク１に記録されているディスク固有の情報を取得する（ステップ＃２０）。このときのレーザー出射パワーは、各光ディスク規格で規定されている再生パワーを使用する。
【００４８】
制御用マイコン８は、読み取ったディスク固有の情報に従って記録パワーや再生パワー、ストラテジを設定し、この設定に基づいてメモリ２３の記憶内容、ＷＳＧ回路２９の処理内容、リード用Ｄ／Ａコンバータ２７に送出するデジタルデータ、及びライト用Ｄ／Ａコンバータ２８に送出するデジタルデータを設定する（ステップ＃３０）。このときのメモリ２３の記憶内容、リード用Ｄ／Ａコンバータ２７に送出するデジタルデータ、及びライト用Ｄ／Ａコンバータ２８に送出するデジタルデータは、光ピックアップ２内に搭載されている不揮発性メモリ（図１において不図示）において予め記憶されている光ピックアップ固有のパワー情報を基にして計算される。この不揮発性メモリには、所定のレーザー出射パワー（例えば３ｍＷ）を得るための条件等の情報が予め記憶されている。これは光ピックアップ２単独での調整結果値であり、記録パワーと再生パワーを切り替えた際の過渡偏差が小さくなるように調整された結果値である。
【００４９】
図１に示す光ディスク記録再生装置は、レーザーに関する設定を終えると、ディスクサーボ調整を行う（ステップ＃４０）。ここでは、オフセット、サーボゲイン、バランス、収差等の調整を行う。
【００５０】
ディスクサーボ調整の後は、記録パワーおよびストラテジを補正して最適な記録レーザー条件を求めるための試し書きが行われる。この試し書きでは光ディスク１に含まれる試し書き領域で複数のパワーおよびストラテジでの記録を行い、記録信号品質が最適とされる条件を求める。このため、試し書きにおいて光ディスク１に対する最初の記録動作、すなわち高いレーザー出射パワーでレーザー出力を行うことになる。
【００５１】
そこで、ディスクサーボ調整を終えると一旦ディスクサーボ動作を停止する（ステップ＃５０）。つまり、フォーカス、トラッキング、スレッド、スピンといったディスクサーボを停止する。さらに、レーザーもＯＦＦとして静止状態へ移行する（ステップ＃６０）。このときフォーカスが完全に外れる所定位置に光ピックアップ２を移動させておく（ステップ＃７０）。これは較正処理用に高いレーザーパワーで出射した場合に誤って光ディスク１の記録層へ集光されるのを防ぐためである。なお、ステップ＃５０においてディスクサーボ動作全てを停止するのではなく、スピンサーボのみＯＮ状態で残しておいても良い。
【００５２】
光ピックアップ２を所定位置へと移動させたら、所定時間Ａの間レーザーを記録パワーで出射させる（ステップ＃８０、＃９０）。これは、レーザー自身の自己発熱に伴うＩ−Ｐ特性の時間変化量が小さくなるまで待つためである。
【００５３】
所定時間Ａを経過したところで、制御用マイコン８は、積分器２５（図２を参照）から出力される記録時エラーデータＤＡＴＡ＿ＷＲを読み出す（ステップ＃１００）。その後レーザーを再生パワーに切り替え、所定時間Ｂの経過を待ってから同じく積分器２５から出力される再生時エラーデータＤＡＴＡ＿ＲＤを読み出す（ステップ＃１１０、＃１２０、＃１３０）。
【００５４】
制御用マイコン８は、記録時エラーデータＤＡＴＡ＿ＷＲと再生時エラーデータＤＡＴＡ＿ＲＤとを取り出した時点で両者を比較し（ステップ＃１４０）、ＤＡＴＡ＿ＲＤ−ＤＡＴＡ＿ＷＲ＞αであれば、リード用Ｄ／Ａコンバータ２７に送出するデジタルデータの値を所定量分減らし、ＤＡＴＡ＿ＲＤ−ＤＡＴＡ＿ＷＲ＜−αであれば、リード用Ｄ／Ａコンバータ２７に送出するデジタルデータの値を所定量分増やし（ステップ＃１５０）、その後ステップ＃８０に戻る。
【００５５】
−α≦ＤＡＴＡ＿ＲＤ―ＤＡＴＡ＿ＷＲ≦αになるまでこれを繰り返してリード用Ｄ／Ａコンバータ２７に送出するデジタルデータの値を決定する（＃１６０）。ここでαは、記録・再生切り替え時のパワー変動の影響が無視できるとみなせる量であり、制御用マイコン８で予め決定されている。
【００５６】
同様に、再生パワーから記録パワーへと切り替えた場合の記録時エラーデータＤＡＴＡ＿ＷＲと再生時エラーデータＤＡＴＡ＿ＲＤも測定し、ライト用Ｄ／Ａコンバータ２８に送出するデジタルデータの値を所定量分増加または減少させることを繰り返すことによってライト用Ｄ／Ａコンバータ２８に送出するデジタルデータの値を調整する（ステップ＃１７０）。
【００５７】
記録時エラーデータＤＡＴＡ＿ＷＲと再生時エラーデータＤＡＴＡ＿ＲＤとの差がα以上となるように調整する方法もあるが、図２に示すＡＰＣ回路３１の場合は積分器２５を使用することでＡＰＣループ応答が緩やかになるため、記録パワーと再生パワー切り替え時にレーザー２ｂに供給されるレーザー電流が瞬間的に変動する。レーザー出射パワーは最終的にはＡＰＣ特性によって目標パワーへと落ち着くことになるが、ディスク情報の誤消去やフォーカスサーボダウンなどの弊害をもたらす可能性があるため、ここではＤＡＴＡ＿ＷＲとＤＡＴＡ＿ＲＤとの差が±α以内になるように調整を行っている。
【００５８】
リード用Ｄ／Ａコンバータ２７に送出するデジタルデータの値及びライト用Ｄ／Ａコンバータ２８に送出するデジタルデータの値の調整は、光ピックアップ２の不揮発性メモリに調整値を記憶する場合にも実施されるが、このとき使用する記録パワーは固定値としているため、実際の光ディスク１で読み取られたディスク固有情報から得られる記録パワーとは必ずしも一致しない。つまりディスク固有情報から得られる記録パワーはディスク毎に異なるため、光ピックアップ２の不揮発性メモリに記憶している調整値に多少の誤差が生じる。この誤差量が大きいと、上述した図７Ａ〜図７Ｃに示すような再生・記録記録・再生切り替え時におけるレーザーパワーの過渡偏差が大きい状態を生む可能性がある。光ピックアップ２の不揮発性メモリに調整値を記憶する場合に使用する記録パワーと実際の光ディスク１で読み取られたディスク固有情報から得られる記録パワーとが一致していれば、図４に示すフロー動作による較正処理において、リード用Ｄ／Ａコンバータ２７に送出するデジタルデータの値及びライト用Ｄ／Ａコンバータ２８に送出するデジタルデータの値の増減を繰り返すことなく、記録時エラーデータＤＡＴＡ＿ＷＲと再生時エラーデータＤＡＴＡ＿ＲＤとの差が±α内に収まる確率が高くなる。
【００５９】
図４に示すフロー動作による較正処理が終了した時点で、再びディスクサーボを起動して試し書き処理を実施する。試し書きで得られた最適な記録レーザー条件での記録パワー値が、光ディスク１から読み取られたディスク固有の情報に従って設定された記録パワー値と比較して所定以上の開きがある場合は、再び図４に示すフロー動作による較正処理を行うようにしてもよい。
【図面の簡単な説明】
【００６０】
【図１】は、本発明に係る光ディスク記録再生装置の構成例を概略的に示すブロック図である。
【図２】は、ＡＰＣ回路の構成例を概略的に示す図である。
【図３】は、図２に示すＡＰＣ回路の各部信号波形を示す図である。
【図４】は、図１に示す光ディスク記録再生装置が行う較正処理を示すフローチャートである。
【図５】は、従来のＡＰＣ回路の構成例を概略的に示す図である。
【図６】は、レーザーの出射パワー対電流特性を示す図である。
【図７Ａ】〜
【図７Ｃ】は、記録・再生切り替え時のレーザー出射パワーを示す図である
【符号の説明】
【００６１】
１    光ディスク
２    光ピックアップ
２ａ    対物レンズ
２ｂ    レーザー
２ｃ    光検出器
２ｄ    ＡＰＣ用フォトダイオード
２ｅ    ビームエキスパンダ
３    スピンドルモータ
４    スレッドモータ
５    ＲＦ処理回路
６    信号処理回路
７    デジタルサーボ処理回路
８    制御用マイクロコンピュータ
９    制御回路
１０    インタフェース
１１    モータドライバ
１２    レーザドライバ
２０    Ｉ−Ｖ変換回路
２１    Ａ／Ｄコンバータ
２２    減算器
２３    メモリ
２４    デコーダ
２５    積分器
２６    乗算器
２７    リード用Ｄ／Ａコンバータ
２８    ライト用Ｄ／Ａコンバータ
２９    ＷＳＧ回路
３０    ＮＰＮトランジスタ
３１    ＡＰＣ回路
【図１】
2006331490.tif 000003
【図２】
2006331490.tif 000004
【図３】
2006331490.tif 000005
【図４】
2006331490.tif 000006
【図５】
2006331490.tif 000007
【図６】
2006331490.tif 000008
【図７Ａ】
2006331490.tif 000009
【図７Ｂ】
2006331490.tif 000010
【図７Ｃ】
2006331490.tif 000011